(57)【特許請求の範囲】
【請求項１】
枠組みされる各フレームの裏側に枠内方向へ開口する横付溝が形成されている額縁において、その横付溝に先端部で差し付けることにより裏板を押さえ止める板状に平たい固定具本体と、この固定具本体に前後案内可能に常時内蔵されるスライド内舌片と、スライド内舌片のスライド操作片とからなり、固定具本体は、スライド内舌片が前後スライド可能な中空の案内収納部を有するとともに、その案内収納部を先端部で前面とその両側にわたって広く開口させることにより、先端部に上唇片と下唇片とが薄口開きの相互間隔で且つ横付溝に挿入可能な間隔で具備してなり、スライド内舌片がその薄口開きの間にスライドして臨むことによる横付溝への圧入によりその間の間隔が縮小する障害となるとともに、その縮小停止で横付溝に対して脱出防止機能が働くように構成したことを特徴とする額縁における裏板固定具。
【請求項２】
枠組みされる各フレームの裏側に枠内方向へ開口する横付溝が形成されている額縁において、その横付溝に先端部で差し付けることにより裏板を押さえ止める板状に平たい固定具本体と、この固定具本体に前後案内可能に常時内蔵されるスライド内舌片と、スライド内舌片のスライド操作片とからなり、固定具本体は、スライド内舌片が前後スライド可能な中空の案内収納部を有するとともに、その案内収納部を先端部で前面とその両側、下面にわたって広く開口させることにより、先端部に上唇片を具備してなり、スライド内舌片がその上唇片の下面に臨ませることによる横付溝への圧入により横付溝に対して脱出防止機能が働くように構成したことを特徴とする額縁における裏板固定具。
【請求項３】
フレームの横付溝の上面の奥端に掛止内溝を形成し、上唇片の先端に掛止内溝に脱出不能に引っ掛かる掛止爪を突設して前記脱出防止機能を構成したことを特徴とする請求項１又は２記載の額縁における裏板固定具。
【請求項４】
内容物の厚みに対応できるように、フレームの横付溝が複数溝で構成されていることを特徴とする請求項１，２又は３記載の額縁における裏板固定具。
【発明の詳細な説明】
【技術分野】
【０００１】
この発明は、額縁の裏側で例えば透明板や作品、裏板等からなる内容物を止めるためにフレームに取り付ける額縁における裏板固定具に関する。
【背景技術】
【０００２】
額縁においては内容物を止めるためにトンボと称される掛止片をフレームの裏側に軸止めする手段がとられることが多いが、殊に、アルミ押出形材からなる額縁ではフレームに額内側に開口する凹溝を設け、それに弾性変形により嵌着する裏板固定具が使用されることが多い。その例としては、フレームの凹溝に差し込む頭部片に後続する胴部片の両側に、裏板に立脚させる脚部片を股開き状に連設してなるもの（特許文献１）、板ばねを凹溝に差し込み得るようＶ字形に折り曲げるとともに、その一片に凹溝の開口掛止片に引っ掛かる係合部を形成したもの（特許文献２、特許文献３）を挙げることができる。
【０００３】
その他、フレームに枠内側から深く細い溝を傾斜して設け、それに差し込む板ばねを「く」字形に屈折させ、その端部に裏板にビス止めする通し孔を設けたもの（特許文献４）、フレームを内容物が前縁に掛かる言わばＣ字形の断面に形成し、他方の後縁と内容物との間に嵌入するＶ字形の板ばねについてその一片に締付けネジの螺入孔を、他片に該ネジの先端が掛かる屈折部を設けて、ネジの力でＶ字角度を開拡するようになし、一片をビスで裏板に固定するようにしたもの（特許文献５  実用新案出願公告昭和５５年第３２５３８号）、等の例も挙げられる。
【０００４】
【特許文献１】実用新案登録第２５５９８００号
【特許文献２】実公昭６１−２９３４６号
【特許文献３】実公昭６１−３５１０３号
【特許文献４】実用新案登録第２５７０９６４号
【特許文献５】実用新案出願公告昭和５５年第３２５３８号
【発明の開示】
【発明が解決しようとする課題】
【０００５】
上記のような従来の裏板固定具によれば、内容物の厚みに対応して弾力で裏板を押さえ付けうるように、そのための弾性を保有する湾曲、Ｖ字形等の凹凸で嵩張る形状であったので、それが唐突に眼立ちやすいばかりでなく、外れが危惧されるような他の物との引っ掛かりが生じやすく、また、取付けに弾性変形させるために大きな動作が必要となるにもかかわらずその割に外れない安心感に欠け、さらに、弾性変形操作の都合等から幅を取る限界がある（例えば、極端にはフレームの全長の幅とするのに適しない）、等の不都合があった。
【０００６】
この発明は、上記のような実情に鑑みて、内容物をその厚みに対応して押さえ得るにもかかわらず、裏面から見て凹凸が少なく意匠的にすっきりしており、また、簡易にセットできるにもかかわらずしっかりとロックでき、また、任意の位置に適数、必要なだけ取りつけ得ることはもちろん、幅つまり横長が限定されることのない額縁における裏板固定具を提供することを課題とした。
【課題を解決するための手段】
【０００７】
上記の課題を解決するために、第１発明は、枠組みされる各フレームの裏側に枠内方向へ開口する横付溝が形成されている額縁において、その横付溝に先端部で差し付けることにより裏板を押さえ止める板状に平たい固定具本体と、この固定具本体に前後案内可能に常時内蔵されるスライド内舌片と、スライド内舌片のスライド操作片とからなり、固定具本体は、スライド内舌片が前後スライド可能な中空の案内収納部を有するとともに、その案内収納部を先端部で前面とその両側にわたって広く開口させることにより、先端部に上唇片と下唇片とが薄口開きの相互間隔で且つ横付溝に挿入可能な間隔で具備してなり、スライド内舌片がその薄口開きの間にスライドして臨むことによる横付溝への圧入によりその間の間隔が縮小する障害となるとともに、その縮小停止で横付溝に対して脱出防止機能が働くように構成したことを特徴とする額縁における裏板固定具を構成した。
【０００８】
額縁における裏板固定具を上記のように構成したから、これを使用するために、先端部をフレームの横付溝に差し込むと、上唇片と下唇片とが共に弾性変形して差し込みに応じることにより圧入状態が得られるために、少なくとも摩擦による脱出防止機能が働くことになり、また、裏板固定具が裏板に対して対面して押さえ止めた状態となる。また、同じく弾性変形を伴わせて逆操作で取り外すこともできる。
【０００９】
また、第２発明は、枠組みされる各フレームの裏側に枠内方向へ開口する横付溝が形成されている額縁において、その横付溝に先端部で差し付けることにより裏板を押さえ止める板状に平たい固定具本体と、この固定具本体に前後案内可能に常時内蔵されるスライド内舌片と、スライド内舌片のスライド操作片とからなり、固定具本体は、スライド内舌片が前後スライド可能な中空の案内収納部を有するとともに、その案内収納部を先端部で前面とその両側、下面にわたって広く開口させることにより、先端部に上唇片を具備してなり、スライド内舌片がその上唇片の下面に臨ませることによる横付溝への圧入により横付溝に対して脱出防止機能が働くように構成したことを特徴とする額縁における裏板固定具を提供する。
【００１０】
上記の構成によれば、まず先端の上唇片をフレームの横付溝に差し込むと、未だその下に余裕があるが、次にスライド内舌片をその余裕部分に嵌入すると圧入状態が得られるために、少なくとも摩擦による脱出防止機能が働くことになり、また、横付溝に規制されて裏板固定具が裏板に対して対面して押さえ止めた状態となる。取り外すときは丁度逆操作となる。
【００１１】
上記いずれの場合も、請求項３の如く脱出防止機能を構成すると、外す操作をしない限り、決して外れない安定した状態となる。また、内容物の厚みに対応できるように、フレームの横付溝を複数溝で構成すると（請求項４）、より好ましい。
【発明の効果】
【００１２】
以上説明したように、この発明の額縁における裏板固定具によれば、内容物をその厚みに対応して押さえ得るにもかかわらず、板状またはそれに近い形状であって裏面から見て凹凸が少なく意匠的にすっきりしており、また、簡易にセットできるにもかかわらずしっかりとロックできるために、出展用の扱いに対しても外れる落ちることのない安心感が得られ、また、任意の位置に適数、必要なだけ取りつけ、内容物の大きさや重量に対して自由に数を選べることはもちろん、幅つまり横長が限定されることもなく、取り付けの多様性が得られるという優れた効果がある。
【発明を実施するための最良の形態】
【００１３】
次に、この発明の実施形態を図面に基づいて説明する。
【００１４】
図１ないし図９は請求項１に記載した第１発明に係わる一実施の形態を示したもので、その額縁Ｇにおいて裏板固定具Ｐは、各フレーム１，１，１，１に１個または２以上の個数ずつ取り付けるものとして実施され、短片状であるがフレーム１の長さに近い長尺に構成することも可能である。
【００１５】
額縁Ｇのフレーム１は、アルミ等の押出形材として成形することにより、裏側（上と表現することもある）に枠内方向へ開口して裏板固定具Ｐの横付溝３が形成され、また、前面に内容物５の掛止部７が内向して突設され、それに飾り縁７ａが嵌着される。横付溝３は、上下二段に内向の突片８，９を突設し、両突片８，９に突設基端近くで低くなるように段差を設けてあり、そのため、横付溝３の中には上段の突片８について基端に裏板固定具Ｐの掛止内溝１１が形成される。また、下段の突片９について先端を上向きに屈折させることにより段差との間に窪み１３が形成される。これは、裏板固定具Ｐを斜めＳａにさし込みやすくするためである。
【００１６】
裏板固定具Ｐは、それぞれ板状に薄くプラスチックで成形された固定具本体１５と、スライド内舌片１７と、スライド操作片１９とからなるもので、そのうち、固定具本体１５は、スライド内舌片１７が前後スライド可能に納まる中空の案内収納部２１を有し、先端部で中空が先端から両横に開口させることにより、薄口開き２２の口裂け状に上唇片２３と下唇片２４とが形成され、先端にゆくにつれて下唇片２４がやゝ下向きで開き２２が少し多くなっている。なお、成形の都合から案内収納部２１は後端にも開口している。また、上面からスライド操作片１９をスライド内舌片１７に取り付けるために、上下両面に後記するように多様に開孔される。
【００１７】
スライド操作片１９は、上面が指掛けやすく凹凸に形成されたものであるが、下面には幅中央部において相対向する左右対で逆止爪２５，２５を突設し、その間の中間に細く丸い棒状突起２７が突設される。
【００１８】
これに対してスライド内舌片１７には、逆止爪２５，２５が掛かる左右一対の結合孔２６．２６と、棒状突起２７が嵌入する連結孔２８が設けられ、スライド操作片１９がスライド内舌片１７に固定具本体１５の上において連結されるが、これを可能とするために、固定具本体１５に、案内収納部２１より上に逆止爪２５，２５が通る長孔２９，２９と、棒状突起２７が窮屈に通る規制スリット３１とを設けてある。また、案内収納部２１より下には、逆止爪２５，２５の爪先が掛からないようにその移動範囲において広く窓孔３２，３２が形成してある。
【００１９】
固定具本体１５について、さらに説明を加えると、上唇片２３の先端縁に後ろへ逃げ角の逆止爪形の掛止爪３３が端に沿って立設され、後端部においては、下面の周囲に回り縁としてその高さを尻下がりに後ろへ順次大きく形成して、裏板５ａに対する尻押し部３７が厚肉により形成される。さらに、尻部の中央には裏板５ａに螺入するビス３９の通し孔４１を設け、下面においてはその周囲にも裏板５ａに接触する厚肉部が設けられる。
【００２０】
裏板固定具Ｐを上記のように組み立てた状態において、これを使用するときには、額縁Ｇの裏側を上にして（図１）、内容物５の裏板５ａの上からフレーム１の横付溝３に差し込む（Ｓ方向）。ただし、その際に、下唇片２４の先を下段の突片９の口縁に掛けながら斜め下向き（Ｓａ方向）にすると、口開き２２が弾性変形で縮まることで掛止爪３３が上段の突片８の下に潜り入れやすいため、上唇片２３と下唇片２４とを弾性変形させながら差し込みの手掛かりが得やすく、それから徐々に水平にしながら押し込むと、弾力で掛止爪３３が掛止内溝１１に落ち込んでそれに掛止される。
【００２１】
図３が差し込みが終了した時点を示したもので、残り弾性により上段の突片８に上唇片２３が、下段の突片９に下唇片２４がそれぞれ全面的に圧接することにより、固定具本体１５が水平に保持されるから、その水平保持力により尻押し部３７が裏板５ａを押し下げる。これで裏板押さえの状態となるが、この状態を確実に仮止めしてから固定することとした。
【００２２】
図４が固定した状態を示したもので、それにはまず、スライド操作片１９を指で押してスライド内舌片１７を上唇片２３と下唇片２４との間に差し出す。そうすると、先端部で弾性変形がスライド内舌片１７に阻止されるため、掛止内溝１１から掛止爪３３が抜けることは決してない仮止め状態となる。さらに、ビス３９を通し孔４１から裏板５ａにねじ込み、固定を確実にするが、この状態ではビス頭がスライド操作片１９の戻りを止めるストッパーとなる。
【００２３】
ビス止めすると、掛止内溝１１と掛止爪３３との結合により、殊に大型の額縁では、向かい合うフレーム１，１が開拡不能に連結されるからその撓みが防止される。しかし、殊に小型の額縁ではビス３９は用いないこともあるし、また、ビス止めまでの間にスライド操作片１９とともにスライド内舌片１７が戻るおそれがあり、それを防止する必要もある。この考えから、前記した棒状突起２７とその規制スリット３１とからなる戻り防止のロック装置が構成される。これについては、規制スリット３１は、始点部３１ａで棒状突起２７がゆっくり納まる幅広く形成され、終点部３１ｃで棒状突起２７よりも一回り大きい円形に形成され、その間の摺動部３１ｂを窮屈に嵌まることにより制動されるようになっており、そのため棒状突起２７が終点部３１ｃにあるときに半ロック状態となる。
【００２４】
固定具本体１５の先端部が横付溝３から抜けないように配慮する脱出防止機能については、上記実施形態では、横付溝３に掛止内溝１１を設け、固定具本体１５の先端にそれに対する掛止爪３３を突設したが、これに必ずしも限定されることはなく、固定具本体１５の先端部の厚みに対して横付溝３を奥深く形成すれば、弾力に伴う摩擦だけでも脱出を防止できる安定性が得られる。また、摩擦や引っ掛かりを特に大きくするために、横付溝３の内面とそれに接合する固定具本体１５の面との少なくとも一面を高摩擦面に形成したり、双方を波形等の細かな凹凸面に形成したりする手段を取ることもできる。また、弾性変形を可能にするために、固定具本体１５をばね材で形成することも可能である。
【００２５】
額縁Ｇの内周に沿うように裏板固定具Ｐを横長ないし長尺に構成することができるが、その場合であると、固定具本体１５に複数のスライド内舌片１７，１７，・・を並列して内蔵する構造を取り得る。また、スライド操作片１９はスライド内舌片１７と一体成形することも可能である。
【００２６】
図１０は、請求項２に記載の第２発明の一実施の形態を示したもので、上記の実施形態と比較すると、下唇片２４を有しない点のみが異なり、その他の点については基本的には同じであるので同符号を付して説明を省略する。そこで、これを横付溝３に取り付けるには、上唇片２３をそれに差し込んでから、スライド操作片１９を押してスライド内舌片１７を嵌入すると、それが楔として作用して横付溝３から抜けなくなるとともに、裏板５ａを押さえる固定した安定性が得られる。なお、掛止内溝１１や掛止爪３３の有無等に関しての脱出防止機能にいては、上記に述べた点とほゞ同じである。
【００２７】
なお、内容物の厚みに対応できるようにするためには、上記実施例中のフレーム１の横付溝３を複数溝に構成することが好ましい。
【図面の簡単な説明】
【００２８】
【図１】第１発明の一実施形態を裏板固定具の取り付け要領で示す額縁を裏側から見た一部斜視図である。
【図２】同実施形態の裏板固定具の分解斜視図である。
【図３】同実施形態における裏板固定具の取り付けの初期の状態を示す額縁の一部断面図である。
【図４】同取り付けの完了状態を示す断面図である。
【図５】図１のＡ−Ａ線矢視の拡大断面図である。
【図６】同実施形態における固定具本体の一部切欠した底面図である。
【図７】同実施形態におけるスライド内舌片の底面図である。
【図８】同実施形態におけるスライド操作片の底面図である。
【図９】図２のＢ−Ｂ線矢視の拡大断面図である。
【図１０】第２発明の一実施形態を示す図４に対応する断面図である。
【符号の説明】
【００２９】
Ｐ  額縁における裏板固定具
Ｇ  額縁
１  フレーム
３  横付溝
５ａ  裏板
１１  掛止内溝
１５  固定具本体
１７  スライド内舌片
１９  スライド操作片
２１  案内収納部
２２  薄口開き
２３  上唇片
２４  下唇片
３３  掛止爪
【図１】
0005202082.tif 000002
【図２】
0005202082.tif 000003
【図３】
0005202082.tif 000004
【図４】
0005202082.tif 000005
【図５】
0005202082.tif 000006
【図６】
0005202082.tif 000007
【図７】
0005202082.tif 000008
【図８】
0005202082.tif 000009
【図９】
0005202082.tif 000010
【図１０】
0005202082.tif 000011